(57)【特許請求の範囲】
【請求項１】
一端を閉鎖壁により閉鎖し筒状に形成された図柄支持用回転体にモータを連結して図柄支持用回転体を回転させる回胴表示装置において、
前記図柄支持用回転体は、
前記閉鎖壁が、回転中心部から所定の角度を保って前記閉鎖壁の周面部に延びる複数の凸面部と、これらの凸面部それぞれと前記閉鎖壁の周方向に連結面部を介して交互に連接した形態に形成されるとともに、前記各凸面部、前記回転中心部、及び、前記周面部と連接し、かつ、前記連結面部を介して窪んで形成される複数の凹面部とを備えて形成され、
前記閉鎖壁の前記周面部には、当該周面部を片側端面として円筒形状に形成され周囲表面に図柄を形成する円筒外周面を備え、
前記円筒外周面と前記閉鎖壁とは同じ合成樹脂により成形されて構成され、
前記閉鎖壁の前記複数の凹面部それぞれに当接して連結される大径フランジと、
前記回転中心部の裏側に形成された凹部に係合して前記回転中心部を支持する小径フランジと、
前記小径フランジと前記大径フランジとを連結して回転可能に支持するモータ軸と、
このモータ軸を回転させるモータと、
を備えたことを特徴とする回胴表示装置。
【請求項２】
一端を閉鎖壁により閉鎖し筒状に形成された図柄支持用回転体にモータを連結して図柄支持用回転体を回転させる回胴表示装置において、
前記図柄支持用回転体は、
前記閉鎖壁が、回転中心部から所定の角度を保って前記閉鎖壁の周面部に延びる複数の凸面部と、これらの凸面部それぞれと前記閉鎖壁の周方向に連結面部を介して交互に連接した形態に形成されるとともに、前記各凸面部、前記回転中心部、及び、前記周面部と連接し、かつ、前記連結面部を介して窪んで形成される複数の凹面部とを備えて形成され、
前記閉鎖壁の前記周面部には、当該周面部を片側端面として円筒形状に形成され周囲表面に図柄を形成する円筒外周面を備え、
前記円筒外周面と前記閉鎖壁とは同じ合成樹脂により成形されて構成され、
前記閉鎖壁の前記複数の凹面部それぞれに当接して連結される大径フランジと、
前記回転中心部の裏面に当接する小径フランジと、
前記小径フランジと前記大径フランジとを連結して回転可能に支持するとともに、前記回転中心部側にねじ軸を備え、前記回転中心部の中心に形成した貫通孔にねじ止めされて前記回転中心部と締結されたモータ軸と、
このモータ軸を回転させるモータと、
を備えたことを特徴とする回胴表示装置。  
【発明の詳細な説明】
【０００１】
【発明の属する技術分野】
本発明は、遊技機の回胴表示装置に関する。
【０００２】
【従来の技術】
回胴表示装置の図柄支持用回転体（通称「リール」）は筒体に形成され、筒体の一端側にスポーク部を設けて強度を補うようにしたものが知られている（例えば、特許文献１参照）。ところで、近年、図柄支持用回転体の軽量化を図るため、図柄支持用回転体の厚さを薄くすることが望まれており、例えば、合成樹脂を用いて真空成形法により薄肉の図柄支持用回転体を成形している。これは図１６に示すように一端が閉鎖で他端が開放の筒状に形成され、筒周面外周８８に図柄８９が印刷されて成る。
【０００３】
【特許文献１】
特開２０００−６１０２８号公報
【０００４】
【発明が解決しようとする課題】
しかしながら、図１６に示すような図柄支持用回転体９０の場合、一端閉鎖壁９１の中心接続部９２が取付部材９３を介してナット９４等でモータ軸９５に取り付けられるが、図柄支持用回転体９０の一端閉鎖壁９１及び中心接続部９２は薄肉で剛性が無く、モータ９６等の駆動源からの回転力が図柄支持用回転体１に円滑に伝達されないという課題があった。
本発明は、回転力を円滑に伝達できる回胴表示装置を得ることを目的とする。
【０００５】
【課題を解決するための手段】
本発明にあっては、一端を閉鎖壁により閉鎖し筒状に形成された回胴表示装置の図柄支持用回転体において、前記図柄支持用回転体の前記閉鎖壁が、回転中心部から所定の角度を保って前記閉鎖壁の周面部に延びる複数の凸面部と、これらの凸面部それぞれと前記閉鎖壁の周方向に連結面部を介して交互に連接した形態に形成されるとともに、前記各凸面部、前記回転中心部、及び、前記周面部と連接し、かつ、前記連結面部を介して窪んで形成される複数の凹面部とを備えて形成され、前記閉鎖壁の前記周面部には、当該周面部を片側端面として円筒形状に形成され周囲表面に図柄を形成する円筒外周面を備え、前記円筒外周面と前記閉鎖壁とは同じ合成樹脂により成形されて構成され、前記閉鎖壁の前記複数の凹面部それぞれに当接して連結される大径フランジと、前記回転中心部の裏側に形成された凹部に係合して前記回転中心部を支持する小径フランジと、前記小径フランジと前記大径フランジとを連結して回転可能に支持するモータ軸と、このモータ軸を回転させるモータと、を備えたので、モータ軸と図柄支持用回転体との接続を強固にでき、回転力を図柄支持用回転体に円滑に伝達できる回胴表示装置が得られる。
また、上記構成に変え、前記回転中心部の裏面に当接する小径フランジと、前記小径フランジと前記大径フランジとを連結して回転可能に支持するとともに、前記回転中心部側にねじ軸を備え、前記回転中心部の中心に形成した貫通孔にねじ止めされて前記回転中心部と締結されたモータ軸とを備えたので、モータ軸と図柄支持用回転体の回転中心部との接続をより強固にできることから、回転力を図柄支持用回転体に円滑に伝達できる回胴表示装置が得られる。
【０００６】
【発明の実施の形態】
実施形態１
図１は実施形態１による回胴表示装置の図柄支持用回転体を一端閉鎖壁側から見た斜視図、図２（ａ）は図柄支持用回転体を一端閉鎖壁側から見た正面図、図２（ｂ）は図２（ａ）のＡ−Ａ断面図、図２（ｃ）は図２（ａ）のＢ−Ｂ断面図、図３は連結部材が取り付けられたモータと図柄支持用回転体との関係を示す図、図４（ａ）はモータが連結部材を介して取り付けられた図柄支持用回転体を一端閉鎖壁側から見た正面図、図４（ｂ）は図４（ａ）のＡ−Ａ断面図、図５はモータが回胴表示装置の支持板に取り付けられた状態を示す図、図６は連結部材の他の態様を示す図、図７は回胴表示装置を示す斜視図、図８は回胴表示装置を搭載したスロットマシンの外観を示す斜視図、図９は回胴表示装置を搭載したパチンコ機の縦断面図である。
【０００７】
図柄支持用回転体１は、図１，２に示すように、一端２が閉鎖壁３で塞がれ他端４が開放５された円筒形状に形成されて成る。この図柄支持用回転体１は、例えば加熱したＰＥＴ（ポリエチレンテレフタレート）等の合成樹脂を金型に押し当てて真空引きして成形する真空成形法により１ｍｍ〜０．５ｍｍ程度の薄肉厚の円筒形状に形成された後、円筒外周面６に図柄７が印刷されたり、円筒外周面６に別途図柄７が取り付けられて成る。
【０００８】
図柄支持用回転体１は、一端２の閉鎖壁３が凹面部８と凸面部９とを周方向に交互に連接した形態に形成されていて、かつ、凹面部８と凸面部９とが回転中心部１０と周面部１１とに延びる形態に形成されている。即ち、閉鎖壁３は、周面部１１と、回転中心部１０と、回転中心部１０から７２度の角度を保って周面部１１に延びる細幅の凸面部９と、回転中心部１０と周面部１１と凸面部９とから連結面部１３を介して他端４の開放５側に窪んだ位置に同一平面の凹面部８が形成されている。実施形態１では、回転中心部１０と周面部１１と凸面部９とを同一平面に形成したので、閉鎖壁３全体が凹凸によるハニカム構造となり強度が増す。また、回転中心部１０と凸面部９とを同一平面に形成したので、回転中心部１０の裏側に形成された凹部２７を支持することができ、回転中心部１０を正確に支持できる。また、周面部１１と凸面部９とを同一平面に形成したので、円筒外周面６の幅を同一幅に形成できる。
尚、図１においては構成をわかりやすくするために回転中心部１０，周面部１１，凸面部９と連結面部１３との境界部及び凹面部８と連結面部１３との境界部を実線で示しているが、実際には図２以下に示すように上記境界部は角がとられて丸く形成されている。また、連結面部１３は開放５側に向けて広がるように傾斜する型抜きのため傾斜面となっている。
【０００９】
図３，４に示すように、閉鎖壁３に連結部材１５を介してモータ１６が連結される。すなわち、図柄支持用回転体１を連結部材１５を介して回転可能に支持するモータ軸１７が連結部材１５と一緒に回転するよう連結部材１５にねじ１８で連結される。
連結部材１５は、閉鎖壁３の凹面部８の裏面１４にボルト２０，ナット２１，ワッシャ２２で連結される大径円形フランジ１９と、回転中心部１０と凹面部８とを繋ぐ傾斜面の裏面壁２３で周囲が支持される小径円形フランジ２４とが軸部２５を介して一体となったものである。この軸部２５の軸中心を貫通する貫通孔２６にはモータ軸１７が挿入されてねじ１８で固定される。
従って、モータ軸１７に連結部材１５が取り付けられたモータ１６を図柄支持用回転体１の他端開放５側から筒内に挿入し、裏面壁２３で形成された凹部２７内に小径円形フランジ２４を嵌め込んで小径円形フランジ２４で回転中心部１０を支持するとともに、大径円形フランジ１９と凹面部８の裏面１４とをボルト２０，ナット２１，ワッシャ２２で取り付けて閉鎖壁３の周方向に凸面部９を介して連設して設けられた全ての凹面部８を裏側から大径円形フランジ１９で支持することにより、凹面部８で挟まれた凸面部９が左右に拡開することが阻止されてハニカム構造が維持され、モータ軸１７と図柄支持用回転体１との接続部の剛性が増すことになる。従って、回転力を図柄支持用回転体１に円滑に伝達できるようになる。また、凹面部８と大径円形フランジ１９とをボルト２０等のねじで締結しているので、接続を確実にでき、また、組付けも容易となる。
尚、凹面部８及び大径円形フランジ１９にはボルト２０を貫通させる貫通孔２８，２９が設けられ、この貫通孔２８，２９に挿通されるボルト２０が螺着されるナット２１は大径円形フランジ１９の裏面１９ａに設けられている。
【００１０】
図柄支持用回転体１と連結されたモータ１６は図５に示すように回胴表示装置のケーシング３１に取り付けられた支持板３２にねじ３２ａ等で取り付けられて表示ユニット３３が構成され、例えば図７に示すようにこの表示ユニット３３が３個並設されて回胴表示装置３０が構成される。この回胴表示装置３０は図８に示すようにスロットマシン４０に搭載されたり、図９に示すようにパチンコ機５０に搭載される。図８のスロットマシン４０において、回胴表示装置３０は遊技機枠４１内に設置され、前面開閉枠４２に設けられた透視性パネル４３を介して回胴表示装置３０の図柄変動、停止を遊技者が視認できるようになっている。図９のパチンコ機５０において、回胴表示装置３０は、遊技盤５１を収納する遊技機枠５２において遊技盤５１の中央に設けられたセンター飾り５３の裏側に設置され、センター飾り５３に設けられた透視性パネル５４を介して回胴表示装置３０の図柄変動、停止を遊技者が視認できるようになっている。また、５５は遊技盤５１に対向して設けられ遊技盤５１との間で遊技球が飛び交う遊技領域を形成するガラス等の透視性パネル、５６はパチンコ機の制御装置である。
【００１１】
尚、図６に示すように、小径円形フランジ２４の前面に回転中心部１０の裏面３４を支持する支持フランジ３５を形成した連結部材１５Ａを用いてもよく、この連結部材１５Ａを用いれば、回転中心部１０をより正確に支持できるので好ましい。
即ち、図４や図６に示す小径円形フランジ２４のように回転中心部１０の裏側に形成された凹部２７に係合して回転中心部１０を支持するフランジ２４，３５を備えた連結部材１５，１５Ａを用いることにより、回転中心部１０を正確に支持できるようになるので好ましい。
【００１２】
実施形態２
図１０に示すように、回転中心部１０の中心に貫通孔５９を形成した図柄支持用回転体１Ｂと、貫通孔５９に貫通するねじ軸３６と回転中心部１０の裏面３４に当接するフランジ３７とを備えた連結部材１５Ｂを用い、ねじ軸３６にワッシャ３８を介してボルト３９を締結するようにして図柄支持用回転体１Ｂと連結部材１５Ｂとを接続してもよい。この連結部材１５Ｂを用いれば、回転中心部１０を確実に支持できるので好ましい。
【００１３】
実施形態３
図１１に示すように、回転中心部１０の中心に貫通孔６０を形成した図柄支持用回転体１Ｃと、貫通孔６０に嵌合する嵌合軸６１を前端に設けた連結部材１５Ｃを用いてもよい。この連結部材１５Ｃを用いれば、実施形態２のようにねじ軸３６やボルト３９が不要となり、簡単な構成で回転中心部１０を確実に支持できるので好ましい。
【００１４】
即ち、実施形態２，３のように、回転中心部１０に形成された孔（貫通孔５９，６０）を貫通して回転中心部を支持する軸（ねじ軸３６，嵌合軸６１）を備えた連結部材１５Ｂ，１５Ｃを用いることにより、回転中心部１０を確実に支持でき、回転力を図柄支持用回転体１Ｂ，１Ｃに円滑に伝達できるようになる。
【００１５】
実施形態４
図１２，図１０（ｂ）に示すように、図柄支持用回転体１Ｂの凸面部９の裏側に形成される凹部９ａに嵌合する当該凹部９ａと同形状の支持部７０を備えた連結部材１５Ｄを用いてもよい。即ち、連結部材１５Ｄが図柄支持用回転体１Ｂの凸面部９の全てを裏側から支持する支持部７０を備えた形態としてもよい。
【００１６】
実施形態５
図柄支持用回転体は、図１３，図１４に示すように、凸面部９を周方向に９０度間隔で４つ設けた図柄支持用回転体１Ｘでもよいし、凸面部９を周方向に１２０度間隔で３つ設けた図柄支持用回転体１Ｙでもよい。
【００１７】
尚、本発明の図柄支持用回転体は、図１５に示すような、駆動回転体８０と従動回転体８１とに図柄帯体８２を掛け渡して図柄を回転させる回胴表示装置８３における駆動回転体８０や従動回転体８１としても用いることができる。
【図面の簡単な説明】
【図１】  本発明の実施形態１による回胴表示装置の図柄支持用回転体を一端閉鎖壁側から見た斜視図。
【図２】  （ａ）は図柄支持用回転体を一端閉鎖壁側から見た正面図、（ｂ）は（ａ）のＡ−Ａ断面図、（ｃ）は（ａ）のＢ−Ｂ断面図。
【図３】  連結部材が取り付けられたモータと図柄支持用回転体との関係を示す図。
【図４】  （ａ）はモータが連結部材を介して取り付けられた図柄支持用回転体を一端閉鎖壁側から見た正面図、（ｂ）は（ａ）のＡ−Ａ断面図。
【図５】  モータが回胴表示装置の支持板に取り付けられた状態を示す図。
【図６】  連結部材の他の態様を示す図。
【図７】  回胴表示装置を示す斜視図。
【図８】  回胴表示装置を搭載したスロットマシンの外観を示す斜視図。
【図９】  回胴表示装置を搭載したパチンコ機の縦断面図。
【図１０】  （ａ）はモータが連結部材を介して取り付けられた実施形態２の図柄支持用回転体を一端閉鎖壁側から見た正面図、（ｂ）は（ａ）のＡ−Ａ断面図。
【図１１】  （ａ）はモータが連結部材を介して取り付けられた実施形態３の図柄支持用回転体を一端閉鎖壁側から見た正面図、（ｂ）は（ａ）のＡ−Ａ断面図。
【図１２】  実施形態４における連結部材と図柄支持用回転体との関係を示す分解斜視図。
【図１３】  図柄支持用回転体の他の形態を示す一端閉鎖壁側から見た正面図。
【図１４】  図柄支持用回転体の他の形態を示す一端閉鎖壁側から見た正面図。
【図１５】  本発明の図柄支持用回転体の他の用途を説明するための図。
【図１６】  従来の図柄支持用回転体とモータとの関係を示す斜視図。
【符号の説明】
１  図柄支持用回転体、３  閉鎖壁、８  凹面部、９  凸面部、
１０  回転中心部、１１  周面部、１５  連結部材、
１９  大径円形フランジ（支持部）、２４  小径円形フランジ、
３５  支持フランジ、３６  ねじ軸（軸）、５９，６０  貫通孔（孔）、
６１  嵌合軸（軸）、７０  支持部。
【図１】
0004476561.tif 000002
【図２】
0004476561.tif 000003
【図３】
0004476561.tif 000004
【図４】
0004476561.tif 000005
【図５】
0004476561.tif 000006
【図６】
0004476561.tif 000007
【図７】
0004476561.tif 000008
【図８】
0004476561.tif 000009
【図９】
0004476561.tif 000010
【図１０】
0004476561.tif 000011
【図１１】
0004476561.tif 000012
【図１２】
0004476561.tif 000013
【図１３】
0004476561.tif 000014
【図１４】
0004476561.tif 000015
【図１５】
0004476561.tif 000016
【図１６】
0004476561.tif 000017